(57)【要約】【課題】監視対象設備の変更や追加に伴うデータベースの変更と確認作業を削減または簡素化できると共に、システムを構成する装置間の設定の不整合をなくすようにデータベースを作成及び変更する監視制御システムを得る。【解決手段】監視制御装置２０の端末データベース収集機能２４により送信要求を受けた端末装置３１は、データベース送信機能３４により、変更された自身のデータベース３２を送信し、このデータベース３２を受信した監視制御装置２０は、データベース作成変更機能２３により、自身のデータベース２１を、データベース３２を用いて変更するようにして、データベースの変更と確認作業を削減または簡素化する。【選択図】　　　　図１
2004005284.tif 000002
【特許請求の範囲】
【請求項１】
端末装置とこの端末装置に通信線を介して接続された監視制御装置を有する監視制御システムにおいて、自装置の端末データベースを送信するデータベース送信機能を有する端末装置、この端末装置の端末データベースが変更されたとき、上記変更された端末データベースを上記データベース送信機能による送信により収集する収集機能を有すると共に、上記収集機能によって上記端末装置から収集された端末データベースを用いて、データベース作成変更機能により自装置のデータベースが変更される監視制御装置を備えたことを特徴とする監視制御システム。
【請求項２】
上記データベース作成変更機能は、上記端末装置から収集された端末データベースについて、上記端末装置から前回収集された端末データベースとの差異を抽出し、上記抽出された差異を表示することを特徴とする請求項１記載の監視制御システム。
【請求項３】
上記端末装置は、端末データベースの互換性に関する情報を有し、上記データベース送信機能によって送信される端末データベースには上記互換性に関する情報が付加されることを特徴とする請求項１または請求項２記載の監視制御システム。
【請求項４】
上記データベース作成変更機能は、上記端末装置から収集された端末データベースを監視制御装置用のデータベースに変換するデータベース変換機能を含むことを特徴とする請求項１〜請求項３のいずれか一項記載の監視制御システム。
【請求項５】
上記端末装置は、端末データベースの構造を定義した構造定義データを有し、上記データベース送信機能によって送信される端末データベースには上記構造定義データが付加されると共に、上記データベース変換機能は、上記構造定義データを用いて上記送信された端末データベースを監視制御装置用のデータベースに変換することを特徴とする請求項４記載の監視制御システム。
【請求項６】
上記データベース作成変更機能は、上記端末装置から収集された端末データベースを、データベース作成時に利用可能なデータベース部品として登録するデータベース部品化機能を含むことを特徴とする請求項１〜請求項５のいずれか一項記載の監視制御システム。
【請求項７】
上記端末装置は、この端末装置の機種を示す機種データを有し、上記データベース送信機能によって送信される端末データベースには上記機種データが付加されると共に、上記データベース部品化機能は、上記機種データを用いて送信された端末データベースをデータベース部品として登録することを特徴とする請求項６記載の監視制御システム。
【請求項８】
上記データベース作成変更機能は、上記監視制御装置に配置されていることを特徴とする請求項１〜請求項７のいずれか一項記載の監視制御システム。
【発明の詳細な説明】
【０００１】
【発明の属する技術分野】
この発明は、端末装置及び通信線を介して端末装置と接続された監視制御装置を有する監視制御システムに関し、とくにデータベースの作成及び変更を効率よく行うようにした監視制御システムに関するものである。
【０００２】
【従来の技術】
図１４は、従来の監視制御システムのシステム構成を示すブロック図であり、従来の電力システムの監視制御装置と遠方監視制御装置の構成を示している。
図１４において、１は監視制御装置、２、３は監視制御装置に接続された通信線、４は監視制御装置１と通信線２を介して接続された遠方監視制御装置、５は通信線３を介して接続された遠方監視制御装置である。監視制御装置１は、データベース６及びヒューマンマシンＩ／Ｆ７及び遠方監視制御装置４用のＤＬＬデータ８並びに遠方監視制御装置５用のＤＬＬデータ９を有し、データベース６を参照して遠方監視制御装置４、５へのデータの入出力やヒューマンマシンＩ／Ｆ７に表示を行うように構成されている。遠方監視制御装置４は、データベース１０及びＤＬＬデータ８を有し、遠方監視制御装置５は、データベース１１及びＤＬＬデータ９を有している。ここで、ＤＬＬデータは、データの処理分類や変換定数などの関連する可変情報で、予め定められている。
図１５は、従来の監視制御システムのデータベース変更時の動作フローを示す図である。
【０００３】
次に、動作について説明する。
電力システムの制御所の監視制御装置１と変電所の遠方監視制御装置４、５を想定した場合、監視対象の設備の変更に対して容易に対応できるように、予め、各端末装置の入出力データの最大値を定めておき、実装される入出力データが少ない場合は、予備データ領域を設けることとしている。また、ＤＬＬデータを、監視制御装置１から各遠方監視制御装置４、５へダウンロードする機能を備えている。
図１５に示すように、ＤＬＬデータに定める内容の変更に際しては、監視制御装置１のデータベース６を変更し（ステップＳ１）、その変更を対象の遠方監視制御装置４または遠方監視制御装置５へダウンロードし（ステップＳ２、ステップＳ３）、その設定を変更するようにしている。
【０００４】
【発明が解決しようとする課題】
従来の監視制御装置１のデータベース６は、以上のように構成されているので、例えば、制御所の監視制御装置１と変電所の遠方監視制御装置４、５において、ダウンロードによりデータベースを変更した場合、端末装置側の入出力点の変更内容と、監視制御装置にダウンロードされた内容が一致していることを確認する必要がある。
また、例えば、変電所内の監視制御装置と回線毎の制御装置等によって構成される監視制御システムの場合は、双方のデータベースを変更してその内容を確認した上で、さらに、夫々の変更箇所が合致することを確認する必要があり、個別に作業をするため、誤りが生じる可能性があり、その変更と確認作業に多くの時間がかかるなどの問題があった。
また、電力システムにおいては、運用コストの削減や新たなサービスの提供のため、変電所の設備に新たなセンサや計測機器を設置する可能性があり、これらの端末装置へのデータ出力や端末装置からのデータ収集は、通信線により監視制御装置から行われるため、監視制御装置のデータベースを変更する作業が増えることが予想される。
【０００５】
この発明は、上記のような問題点を解決するためになされたものであり、監視対象設備の変更や追加によるデータベースの変更と確認作業を低減できると共に、装置間の設定の不整合をなくすようにデータベースを作成及び変更することができる監視制御システムを得ることを第一の目的とする。
また、類似の設備を備えた別システムのデータ作成作業を容易にするようにした監視制御システムを得ることを第二の目的とする。
【０００６】
【課題を解決するための手段】
この発明に係わる監視制御システムにおいては、端末装置とこの端末装置に通信線を介して接続された監視制御装置を有する監視制御システムにおいて、自装置の端末データベースを送信するデータベース送信機能を有する端末装置と、この端末装置の端末データベースが変更されたとき、変更された端末データベースをデータベース送信機能による送信により収集する収集機能を有すると共に、収集機能によって端末装置から収集された端末データベースを用いて、データベース作成変更機能により自装置のデータベースが変更される監視制御装置を備えたものである。
【０００７】
また、データベース作成変更機能は、端末装置から収集された端末データベースについて、端末装置から前回収集された端末データベースとの差異を抽出し、抽出された差異を表示するものである。
また、端末装置は、端末データベースの互換性に関する情報を有し、データベース送信機能によって送信される端末データベースには互換性に関する情報が付加されるものである。
【０００８】
さらに、データベース作成変更機能は、端末装置から収集された端末データベースを監視制御装置用のデータベースに変換するデータベース変換機能を含むものである。
また、端末装置は、端末データベースの構造を定義した構造定義データを有し、データベース送信機能によって送信される端末データベースには構造定義データが付加されると共に、データベース変換機能は、構造定義データを用いて送信された端末データベースを監視制御装置用のデータベースに変換するものである。
【０００９】
また、データベース作成変更機能は、端末装置から収集された端末データベースを、データベース作成時に利用可能なデータベース部品として登録するデータベース部品化機能を含むものである。
さらにまた、端末装置は、この端末装置の機種を示す機種データを有し、データベース送信機能によって送信される端末データベースには機種データが付加されると共に、データベース部品化機能は、機種データを用いて送信された端末データベースをデータベース部品として登録するものである。
【００１０】
また、データベース作成変更機能は、監視制御装置に配置されているものである。
【００１１】
【発明の実施の形態】
実施の形態１．
以下、この発明の実施の形態１を図に基づいて説明する。
図１は、この発明の実施の形態１による監視制御システムのシステム構成を示すブロック図である。
図１において、２０は監視制御装置で、データベース２１と、ヒューマンマシンＩ／Ｆ２２と、データベースを作成したり変更することができるデータベース作成変更機能２３と、端末装置からデータベースを収集する端末データベース収集機能（収集機能）２４とを有し、データベース２１を参照してデータの入出力やヒューマンマシンＩ／Ｆ２２に表示を行うように構成されている。２５は監視制御装置２０と通信線２６を経由してデータを授受する監視制御装置である。２７は監視制御装置２０と通信線２８によって接続され、データベース２９（端末データベース）とデータベースを送信するデータベース送信機能３０を有する端末装置、３１は監視制御装置２０と通信線２８によって接続され、データベース３２（端末データベース）とヒューマンマシンＩ／Ｆ３３とデータベースを送信するデータベース送信機能３４を有する端末装置である。
【００１２】
なお、図１では、監視制御装置２０にヒューマンマシンＩ／Ｆ２２とデータベース作成変更機能２３を備えているように記載しているが、ヒューマンマシンＩ／Ｆ２２がない監視制御装置もあり、また、データベース作成変更機能２３を監視制御装置２０に接続可能な別の計算機もしくは装置に実装させてもよい。
同様に、端末装置においても、ヒューマンマシンＩ／Ｆを備えている装置やない装置がある。通信線２６、２８は、装置間の接続を示し、データを授受できるような通信線であることを表しており、バス型や一対一接続などのトポロジーを示すものではない。また、端末装置は、３台以上接続されていても、差し支えない。
【００１３】
図２は、この発明の実施の形態１による監視制御装置のデータベース構造を示す図である。
図２において、２１は監視制御装置２０のデータベース、２９は端末装置２７のデータベース、３２は端末装置３１のデータベース、４０は監視制御装置２０に関するデータ、４１は端末装置２７のデータベースと他のデータベースとの関連を示すデータ、４２は端末装置３１のデータベースと他のデータベースとの関連を示すデータである。
図３は、この発明の実施の形態１による監視制御システムのデータベース変更時の動作フローを示す図であり、端末装置３１のデータベース３２が、変更された場合の動作フローを示している。
【００１４】
次に、動作について図３を用いて説明する。
監視対象設備の更新や変更により、端末装置３１のデータベース３２が変更される。その後、監視制御装置２０において、端末データベース収集機能２４を実行し、データベースを変更した端末装置３１へデータベースの送信要求を行う（ステップＳ１１）。データベース送信要求を受信した端末装置３１は、データベース送信機能３４によって監視制御装置２０へデータベースを送信する（ステップＳ１２）。端末装置３１のデータベース３２を受信した監視制御装置２０において、データベース作成変更機能２３を用い、監視制御装置２０のデータベース２１を変更する。まず、変更前の端末装置３１のデータベース３２と関連を示すデータ４２を削除し（ステップＳ１３）、代わりに、受信したデータベース３２と他のデータベースに関連するデータ４２を改めて設定する（ステップＳ１４）。
【００１５】
実施の形態１によれば、端末装置のデータベースを収集し、それを監視制御装置のデータベースに用いるため、監視制御装置では、既に端末装置自体での変更と確認がなされている部分に対する、監視制御装置における設定や確認作業が不要となり、作業時間とコストが削減されると共に、装置間の設定誤りがなくなるため、品質も高められる。
【００１６】
実施の形態２．
図４は、この発明の実施の形態２による監視制御システムのシステム構成を示すブロック図である。
図４において、２０〜３４は図１におけるものと同一のものである。４３はデータベース作成変更機能２３に設けられた端末データベース差異チェック機能である。
図５は、この発明の実施の形態２による監視制御システムのデータベース変更時の動作フローを示す図である。
【００１７】
実施の形態１では、端末装置３１のデータベース及び他のデータベースとの関連を示すデータ全体を入替える場合について述べたが、実施の形態２は、図４、５に示すように、監視制御装置２０のデータベース作成変更機能２３に、端末データベースの差異をチェックする端末データベース差異チェック機能４３を設け、変更前後の端末データベースの差異を抽出して表示するようにしたので、他のデータベースとの関連を示すデータについては、変更された箇所のみ作業することが可能となり、変更と確認作業が削減できる。
【００１８】
次に、動作について図５を用いて説明する。
監視対象設備の更新や変更により、端末装置３１のデータベース３２が変更される。その後、監視制御装置２０において、端末データベース収集機能２４を実行し、データベースを変更した端末装置３１へデータベース３２の送信要求を行う（ステップＳ１１）。データベース送信要求を受信した端末装置３１は、データベース送信機能３４によって監視制御装置２０へデータベース３２を送信する（ステップＳ１２）。端末装置３１のデータベースを受信した監視制御装置２０において、データベース作成変更機能２３を用い、まず、端末データベース差異チェック機能４３により、変更前の端末装置３１のデータベースと新しいデータベースの差異を抽出して表示する（ステップＳ１５）。次に、変更前のデータベースを削除し（ステップＳ１６）、受信したデータベース３２を設定する（ステップＳ１７）。さらに、端末装置３１のデータベース３２と他のデータベースの関連を示すデータに対して、表示された差異がある箇所を変更する（ステップＳ１８）。
【００１９】
実施の形態２によれば、監視制御装置のデータベース作成変更機能に、端末データベース差異チェック機能を設け、端末データベースの変更点を表示するようにしたので、関連を示すデータについては、変更された箇所のみ作業することが可能となり、変更と確認作業が削減できる。
【００２０】
実施の形態３．
図６は、この発明の実施の形態３による監視制御システムのシステム構成を示すブロック図である。
図６において、２０〜２３、２５〜２９、３１〜３３は図１におけるものと同一のものである。４５は監視制御装置２０に設けられ、端末データベース及びデータベースの互換性に関する互換情報を収集する端末データベース互換情報収集機能、４６は監視制御装置２０のデータベース作成変更機能２３に設けられ、互換情報を参照して端末データベースの差異をチェックする端末データベース互換性差異チェック機能である。４７は端末装置２７に設けられた互換情報、４８は端末装置２７に設けられ、データベース及び互換情報を送信するデータベース互換情報送信機能である。４９は端末装置３１に設けられた互換情報、５０は端末装置３１に設けられ、データベース及び互換情報を送信するデータベース互換情報送信機能である。
図７は、この発明の実施の形態３による監視制御システムのデータベース変更時の動作フローを示す図である。
【００２１】
実施の形態２では、端末データベース差異チェック機能４３を設けることにより、変更点のみを作業する場合について述べたが、実施の形態３は、図６、図７に示すように、機種やバージョンの違いによるデータベースの互換性に関する互換情報４９と、データベース３２と併せて互換情報４９を送るデータベース互換情報送信機能５０を、端末装置３１に実装し、また、監視制御装置２０においては、互換情報４９を参照して関連を示すデータを置き換え、かつ、データベースの差異をチェックする端末データベース互換性差異チェック機能４６を設けることにより、設備の更新や入出力の変更とは異なる、データベースの構造などの変更による差異の抽出をなくすことが可能となり、変更と確認作業が削減でき、また、設定の誤りを防ぐことができる。
【００２２】
次に、動作について図７を用いて説明する。
監視対象設備の更新や変更により、端末装置３１のデータベース３２が変更され、互換情報４９が実装される。監視制御装置２０において、端末データベース互換情報収集機能４５を実行し、データベースを変更した端末装置３１へデータベース３２と互換情報４９の送信要求を行う（ステップＳ２１）。送信要求を受信した端末装置３１は、データベース互換情報送信機能５０によって監視制御装置２０へデータベース３２と互換情報４９を送信する（ステップＳ２２）。端末装置３１のデータベース３２と互換情報４９を受信した監視制御装置２０において、データベース作成変更機能２３を用い、監視制御装置２０のデータベース２１を変更する。
【００２３】
まず、端末データベース互換性差異チェック機能４６により、互換情報４９を参照して、変更前のデータベース３２に対応する関連データ（図２の４２）を、変更後のデータベースに対応するものに置き換える（ステップＳ２３）。同様に、互換情報４９を参照して、変更前のデータベースを変更後のデータベースに相当するデータに変換し、新旧のデータベースの差異を抽出し、表示する（ステップＳ２４）。次に、変更前のデータベースを削除し（ステップＳ２５）、受信したデータベース３２を設定する（ステップＳ２６）。さらに、端末装置３１の他のデータベースの関連を示すデータに対して、表示された差異がある箇所を変更する（ステップＳ２７）。
【００２４】
実施の形態３によれば、端末装置から、機種やバージョンの違いによるデータベースの互換性に関する互換情報を、データベースと併せて送信するようにし、監視制御装置では、互換情報を参照して関連を示すデータを置き換え、かつ、データベースの差異をチェックする機能を設けることにより、設備の更新や入出力の変更とは異なる、データベースの構造などの変更による差異の抽出をなくすことが可能となり、変更と確認作業が削減でき、また、設定の誤りを防ぐことができる。
【００２５】
実施の形態４．
図８は、この発明の実施の形態４による監視制御システムのシステム構成を示すブロック図である。
図８において、２０〜３４は図１におけるものと同一のものである。５１は監視制御装置２０のデータベース作成変更機能２３に設けられ、端末データベースの形式やフォーマットを監視制御装置用に変換する端末データベース変換機能である。
図９は、この発明の実施の形態４による監視制御システムのデータベース変更時の動作フローを示す図である。
実施の形態１では、端末装置からデータベースを収集する場合について述べたが、データベースの形式やフォーマットが異なる端末装置が接続される場合がある。実施の形態４は、図８、９に示すように、監視制御装置２０のデータベース作成変更機能２３に、端末データベースの形式やフォーマットを監視制御装置用に変換する端末データベース変換機能５１を設けることにより、データベースを取得可能な端末装置の範囲が広がり、端末装置に関するデータの作成変更確認作業を削減することができる。
【００２６】
次に、動作について図９を用いて説明する。
監視対象設備の更新や変更により、端末装置３１のデータベース３２が変更される。監視制御装置２０において、端末データベース収集機能２４を実行し、データベースを変更した端末装置３１へデータベースの送信要求を行う（ステップＳ１１）。送信要求を受信した端末装置３１は、データベース送信機能３４によって、監視制御装置２０へデータベース３２を送信する（ステップＳ１２）。端末装置３１のデータベース３２を受信した監視制御装置２０において、データベース作成変更機能２３を用い、監視制御装置２０のデータベース２１を変更する。
まず、端末装置３１のデータベース３２を端末データベース変換機能５１により、受信したデータベース３２を監視制御装置用のデータベースに変換し、変換後のデータベースを生成する（ステップＳ３１）。次に、変更前の端末装置３１のデータベース３２と関連を示すデータを削除し（ステップＳ３２）、代わりに、変換後のデータベースと他のデータベースに関連する部分を設定する（ステップＳ３３）。
【００２７】
実施の形態４によれば、監視制御装置のデータベース作成変更機能に、端末データベースの形式やフォーマットを監視制御装置用に変換する端末データベース変換機能を設けることにより、データベースを取得可能な端末装置の範囲が広がり、端末装置に関するデータの作成・変更・確認作業が削減できる。
【００２８】
実施の形態５．
図１０は、この発明の実施の形態５による監視制御システムのシステム構成を示すブロック図である。
図１０において、２０〜２３、２５〜２９、３１〜３３は図１におけるものと同一のものである。５２は監視制御装置２０に設けられ、端末データベース及び構造定義を収集する端末データベース構造定義収集機能、５３は監視制御装置２０のデータベース作成変更機能２３に設けられ、構造定義を参照して端末データベースを変換する端末データベース構造定義参照変換機能である。５４は端末装置２７に設けられた構造定義（構造定義データ）、５５は端末装置２７に設けられ、データベースと構造定義を送信するデータベース構造定義送信機能である。５６は端末装置３１に設けられた構造定義（構造定義データ）、５７は端末装置３１に設けられ、データベース３２と構造定義５６を送信するデータベース構造定義送信機能である。
図１１は、この発明の実施の形態５による監視制御システムのデータベース変更時の動作フローを示す図である。
【００２９】
実施の形態４では、監視制御装置２に端末データベース変換機能５１を実装し、各種端末装置のデータベースを監視制御装置用に変換する場合について述べたが、実施の形態５は、図１０、１１に示すように、データベースの構造を示す構造定義５４、５６を端末装置２７、３１に設け、データベースと併せて構造定義データを監視制御装置２０に送るデータベース構造定義送信機能５５、５７を実装し、監視制御装置２０には、その構造定義データを参照してデータベースの変換を行う端末データベース構造定義参照変換機能５３を設けることにより、異なるデータベース構造毎に変換機能を作成・追加する必要がなくなり、多様な端末装置への対応が容易となる。
【００３０】
次に、動作について図１１を用いて説明する。
監視対象設備の更新や変更により、端末装置３１のデータベース３２が変更される。監視制御装置２０において、端末データベース構造定義収集機能５２を実行し、データベースを変更した端末装置３１へデータベース３２と構造定義５６の送信要求を行う（ステップＳ４１）。送信要求を受信した端末装置３１は、データベース構造定義送信機能５７によって監視制御装置２０へデータベース３２と構造定義５６を送信する（ステップＳ４２）。端末装置３１のデータベース３２と構造定義５６を受信した監視制御装置２０において、データベース作成変更機能２３を用い、監視制御装置２０のデータベース２１を変更する。
【００３１】
まず、端末装置３１の構造定義５６を参照して監視制御装置用のデータベースに変換する端末データベース構造定義参照変換機能５３により、データベース３２を変換し、変換後のデータベースを生成する（ステップＳ４３）。次に、変更前の端末装置３１のデータベースと関連を示すデータを削除し（ステップＳ４４）、代わりに、ステップＳ４３で生成した変換後データベースと他のデータベースに関連する部分を設定する（ステップＳ４４）。
【００３２】
実施の形態５によれば、データベースの構造を示す構造定義を端末装置に実装すると共に、データベースと併せて構造定義データを監視制御装置に送るデータベース構造定義送信機能を実装し、監視制御装置にはその構造定義データを参照してデータベースの変換を行う端末データベース構造定義参照変換機能を設けることにより、異なるデータベース構造毎に変換機能を作成・追加する必要がなくなり、多様な端末装置への対応が容易となる。
【００３３】
実施の形態６．
図１２は、この発明の実施の形態６による監視制御システムのシステム構成を示す図である。
図１２において、２０〜２３、２５〜２９、３１〜３３、５２〜５７は図１０におけるものと同一のものである。５８はデータベース作成変更機能２３に設けられ、収集した端末装置のデータベースを監視制御装置のデータベースの部品として登録及び保存する端末データベース部品化機能である。
実施の形態５では、端末データベース構造定義参照変換機能５３を実装し、各種端末装置のデータベースを監視制御装置用に変換する場合について述べたが、実施の形態６は、図１２に示すように、収集した端末装置のデータベースを監視制御装置のデータベースの部品として登録及び保存する端末データベース部品化機能５８を設けることにより、別のシステム用のデータベースを作成する作業において、端末装置から収集したデータベース部品を用いることにより、端末装置用の定義や設定誤りをなくし、監視制御装置と端末装置の構成に対応したデータベース作成の作業が削減される。
【００３４】
次に、動作について説明する。
監視制御装置２０は、データベース構造定義収集機能５２により、端末装置２７、３１のデータベース２９、３２と構造定義５４、５６を収集する。次に、データベース作成変更機能２３の端末データベース部品化機能５８を用いて、収集したデータベースと構造定義を部品として登録し、保存する。登録された部品は、当該端末装置を用いる他のシステムのデータベース作成時に利用する。
【００３５】
実施の形態６によれば、収集した端末装置のデータベースを監視制御装置のデータベースの部品として登録及び保存する端末データベース部品化機能を監視制御装置に設けることにより、別のシステム用のデータベースを作成する作業において、端末装置から収集したデータベース部品を用いることにより、端末装置用の定義や設定誤りをなくし、監視制御装置と端末装置の構成に対応したデータベース作成の作業が削減される。
【００３６】
実施の形態７．
図１３は、この発明の実施の形態７による監視制御システムのシステム構成を示すブロック図である。
図１３において、２０〜２３、２５〜２９、３１〜３３、５３、５４、５６、５８は図１２におけるものと同一のものである。５９は監視制御装置２０に設けられ、端末データベース及び構造定義並びに機種データを収集する端末データベース構造定義機種データ収集機能である。６０は端末装置２７に設けられ、端末装置２７の機種やバージョンなどを示す機種データ、６１は端末装置２７に設けられ、データベースと構造定義と機種データを送信するデータベース構造定義機種データ送信機能である。６２は端末装置３１に設けられ、端末装置３１の機種やバージョンなどを示す機種データ、６３は端末装置３１に設けられ、データベースと構造定義と機種データを送信するデータベース構造定義機種データ送信機能である。
実施の形態６では、端末データベースを監視制御装置のデータベースの部品として登録及び保存する端末データベース部品化機能５８を実装し、各種端末装置のデータベースを監視制御装置用に変換する場合について述べたが、実施の形態７は、図１３に示すように、端末装置２７、３１にその機種やバージョンなどの機種データ６０、６２を設け、データベースや構造定義と併せて機種データを監視制御装置２０に送るデータベース構造定義機種データ送信機能６１、６３をそれぞれ実装し、監視制御装置２０のデータベース作成変更機能２３により部品として保存されるとき、機種データを部品の管理情報に用いることにより、部品の登録作業の誤りをなくし、作業を削減することができる。
【００３７】
次に、動作について説明する。
監視制御装置２０は、各種端末装置から、データベース構造定義機種データ収集機能５９により、端末装置のデータベースと構造定義と機種データを収集する。次に、データベース作成変更機能２３の端末データベース部品化機能５８を用いて、収集した機種データを部品の管理情報に設定し、データベースと構造定義を部品として登録し、保存する。登録された部品は、当該端末装置を用いる他のシステムのデータベース作成時に用いる。
【００３８】
実施の形態７によれば、端末装置にその機種やバージョンなどの機種データを設け、データベースや構造定義と併せて機種データを監視制御装置に送るようにし、監視制御装置のデータベース作成変更機能により部品として保存されるとき、機種データを部品の管理情報に用いることにより、部品の登録作業の誤りをなくし、作業を削減することができる。
【００３９】
【発明の効果】
この発明は、以上説明したように構成されているので、以下に示すような効果を奏する。
端末装置とこの端末装置に通信線を介して接続された監視制御装置を有する監視制御システムにおいて、自装置の端末データベースを送信するデータベース送信機能を有する端末装置と、この端末装置の端末データベースが変更されたとき、変更された端末データベースをデータベース送信機能による送信により収集する収集機能を有すると共に、収集機能によって端末装置から収集された端末データベースを用いて、データベース作成変更機能により自装置のデータベースが変更される監視制御装置を備えたので、監視制御装置側では、データベースの設定及び確認作業を低減し、装置間の設定誤りを防ぐことができる。
【００４０】
また、データベース作成変更機能は、端末装置から収集された端末データベースについて、端末装置から前回収集された端末データベースとの差異を抽出し、抽出された差異を表示するので、監視制御装置のデータベース作成変更機能に、端末データベース差異チェック機能を設け、端末データベースの変更点を表示するようにしたので、変更点を確認することができる。
また、端末装置は、端末データベースの互換性に関する情報を有し、データベース送信機能によって送信される端末データベースには互換性に関する情報が付加されるので、監視制御装置側では、互換性に関する情報を用いてデータベース及び関連データの変更を行うことができる。
【００４１】
さらに、データベース作成変更機能は、端末装置から収集された端末データベースを監視制御装置用のデータベースに変換するデータベース変換機能を含むので、データベースの形式またはフォーマットの異なる端末装置からも端末データベースを収集することができる。
また、端末装置は、端末データベースの構造を定義した構造定義データを有し、データベース送信機能によって送信される端末データベースには構造定義データが付加されると共に、データベース変換機能は、構造定義データを用いて送信された端末データベースを監視制御装置用のデータベースに変換するので、異なるデータベース構造の端末データベースでも、収集することが可能になる。
【００４２】
また、データベース作成変更機能は、端末装置から収集された端末データベースを、データベース作成時に利用可能なデータベース部品として登録するデータベース部品化機能を含むので、別のシステム用のデータベースを作成する作業に、登録されているデータベース部品を用いることにより、データベース作成作業を低減することができる。
さらにまた、端末装置は、この端末装置の機種を示す機種データを有し、データベース送信機能によって送信される端末データベースには機種データが付加されると共に、データベース部品化機能は、機種データを用いて送信された端末データベースをデータベース部品として登録するので、機種データをデータベース部品として登録するときの管理情報として用いることができ、部品の登録作業を効率よく行うことができる。
【００４３】
また、データベース作成変更機能は、監視制御装置に配置されているので、監視制御装置で、自装置のデータベースの変更を行うことができる。
【図面の簡単な説明】
【図１】この発明の実施の形態１による監視制御システムのシステム構成を示すブロック図である。
【図２】この発明の実施の形態１による監視制御装置のデータベース構造を示す図である。
【図３】この発明の実施の形態１による監視制御システムのデータベース変更時の動作フローを示す図である。
【図４】この発明の実施の形態２による監視制御システムのシステム構成を示すブロック図である。
【図５】この発明の実施の形態２による監視制御システムのデータベース変更時の動作フローを示す図である。
【図６】この発明の実施の形態３による監視制御システムのシステム構成を示すブロック図である。
【図７】この発明の実施の形態３による監視制御システムのデータベース変更時の動作フローを示す図である。
【図８】この発明の実施の形態４による監視制御システムのシステム構成を示すブロック図である。
【図９】この発明の実施の形態４による監視制御システムのデータベース変更時の動作フローを示す図である。
【図１０】この発明の実施の形態５による監視制御システムのシステム構成を示すブロック図である。
【図１１】この発明の実施の形態５による監視制御システムのデータベース変更時の動作フローを示す図である。
【図１２】この発明の実施の形態６による監視制御システムのシステム構成を示すブロック図である。
【図１３】この発明の実施の形態７による監視制御システムのシステム構成を示すブロック図である。
【図１４】従来の監視制御システムのシステム構成を示すブロック図である。
【図１５】従来の監視制御システムのデータベース変更時の動作フローを示す図である。
【符号の説明】
２０，２５　監視制御装置、２１　データベース、
２２　ヒューマンマシンＩ／Ｆ、２３　データベース作成変更機能、
２４　端末データベース収集機能、２６，２８　通信線、
２７，３１　端末装置、２９，３２　データベース、
３０，３４　データベース送信機能、３３　ヒューマンマシンＩ／Ｆ、
４０　監視制御装置に関するデータ、４１　端末装置の関連データ、
４２　端末装置の関連データ、４３　端末データベース差異チェック機能、
４５　端末データベース互換情報収集機能、
４６　端末データベース互換性差異チェック機能、４７，４９　互換情報、
４８，５０　データベース互換情報送信機能、
５１　端末データベース変換機能、５２　端末データベース構造定義収集機能、
５３　端末データベース構造定義参照変換機能、５４，５６　構造定義、
５５，５７　データベース構造定義送信機能、
５８　端末データベース部品化機能、
５９　端末データベース構造定義機種データ収集機能、
６０，６２　機種データ、
６１，６３　データベース構造定義機種データ送信機能。
【図１】
2004005284.tif 000003
【図２】
2004005284.tif 000004
【図３】
2004005284.tif 000005
【図４】
2004005284.tif 000006
【図５】
2004005284.tif 000007
【図６】
2004005284.tif 000008
【図７】
2004005284.tif 000009
【図８】
2004005284.tif 000010
【図９】
2004005284.tif 000011
【図１０】
2004005284.tif 000012
【図１１】
2004005284.tif 000013
【図１２】
2004005284.tif 000014
【図１３】
2004005284.tif 000015
【図１４】
2004005284.tif 000016
【図１５】
2004005284.tif 000017